(57)【特許請求の範囲】
【請求項１】
暗号化されたＥＴＣ（Electronic Toll Collection）カード読取情報を車載器から無線信号により受信して、当該ＥＴＣカード読取情報を出力する路側機と、
挿入されたＥＴＣカードより読み取った前記ＥＴＣカード読取情報を暗号化して出力する店舗端末と、
前記ＥＴＣカード読取情報を入力して復号するセキュアアプリケーションモジュールを有し、当該復号した結果に基づいて前記ＥＴＣカード読取情報を特定するためのカード特定情報を算出して、ＥＴＣカード読取情報の出力元の前記路側機または前記店舗端末に当該カード特定情報を出力する復号装置と、
前記路側機から入力したカード特定情報と、前記店舗端末から入力したカード特定情報とが一致する場合に、所定のサービス処理を行うサービス処理装置と、
を備えることを特徴とする決済システム。
【請求項２】
前記サービス処理装置は、
前記路側機から入力したカード特定情報と、前記店舗端末から入力したカード特定情報とが一致する場合に、当該カード特定情報に対応付けて割引をすることを示す割引フラグを記憶部に記憶し、
前記路側機から入力した決済処理要求に基づいて当該路側機の備わる駐車場の利用料金の決済時に割引処理を行う
ことを特徴とする請求項１に記載の決済システム。
【請求項３】
前記復号装置は、前記路側機および前記店舗端末と通信ネットワークを介して接続される
ことを特徴とする請求項１または請求項２に記載の決済システム。
【請求項４】
２つの前記復号装置を有し、一方の前記復号装置が前記路側機に備えられ、他方の復号装置が前記店舗端末と通信ネットワークを介して接続される
ことを特徴とする請求項１または請求項２に記載の決済システム。
【請求項５】
２つの前記復号装置を有し、一方の復号装置が前記路側機と通信ネットワークを介して接続され、他方の復号装置が前記店舗端末と通信ネットワークを介して接続される
ことを特徴とする請求項１または請求項２に記載の決済システム。
【請求項６】
決済システムの処理方法であって、
前記決済システムの路側機が、暗号化されたＥＴＣ（Electronic Toll Collection）カード読取情報を車載器から無線信号により受信して、当該ＥＴＣカード読取情報を出力し、
前記決済システムの店舗端末が、挿入されたＥＴＣカードより読み取った前記ＥＴＣカード読取情報を暗号化して出力し、
前記決済システムの復号装置が、前記ＥＴＣカード読取情報を入力して復号するセキュアアプリケーションモジュールを有し、当該復号した結果に基づいて前記ＥＴＣカード読取情報を特定するためのカード特定情報を算出して、ＥＴＣカード読取情報の出力元の前記路側機または前記店舗端末に当該カード特定情報を出力し、
前記決済システムのサービス処理装置が、前記路側機から入力したカード特定情報と、前記店舗端末から入力したカード特定情報とが一致する場合に、所定のサービス処理を行う
ことを特徴とする処理方法。
【発明の詳細な説明】
【技術分野】
【０００１】
本発明は、ＥＴＣ（Electronic Toll Collection）カードを用いて決済処理を行う決済システムおよびその処理方法に関する。
【背景技術】
【０００２】
従来、道路の通行料を収受し課金を行うシステムとして、ＥＴＣカードを用いたシステムが利用されている。当該ＥＴＣカードを用いたシステムでは、ＥＴＣカードに記録されているカード番号などの秘匿性の高い情報を扱うため、高度な暗号処理を行って、無線通信により車載器と路側機の間で情報を送受信している。より具体的には、車両に搭載された車載器がＥＴＣカードから読み取った情報を高度に暗号化して無線送信する。そして、道路上に設置され車載器から無線送信された暗号化情報を受信する路側機が、その高度に暗号化された暗号化情報の復号処理を行う。なお、本発明の関連技術が特許文献１に開示されている。
【先行技術文献】
【特許文献】
【０００３】
【特許文献１】特開２００７−２５７１１１号公報
【発明の概要】
【発明が解決しようとする課題】
【０００４】
ところで、上述のようなＥＴＣカードを用いるシステムでは高度な暗号処理およびその復号処理のために、ＳＡＭ（セキュリティ・アクセス・モジュール）と呼ばれるハードウェアを搭載している。当該ＳＡＭはハードウェアによって暗号処理および復号処理を行うものであるが、ＥＴＣカードの情報の安全性を確保するために厳格に管理されており、特定の事業者以外はその利用を行うことが制限されている。そして、復号処理を行うことのできるＳＡＭを備えた路側機などの装置は高価であり、また盗難防止のための措置に高度な技術および費用がかかることから、一般の事業者が復号処理を行うことの出来るＳＡＭを備えた装置を利用することが困難となっている。
しかしながら、多くの事業者がＥＴＣカードを利用した料金決済を利用することのできるシステムが求められており、ＥＴＣカード読取情報の復号処理を行うことの出来るＳＡＭを備えた装置の使用が一般に広く提供できることが望ましい。
【０００５】
そこでこの発明は、上述の課題を解決することのできる決済システム、外部装置、処理方法を提供することを目的としている。
【課題を解決するための手段】
【０００６】
上記目的を達成するために、本発明は、暗号化されたＥＴＣ（Electronic Toll Collection）カード読取情報を車載器から無線信号により受信して、当該ＥＴＣカード読取情報を出力する路側機と、挿入されたＥＴＣカードより読み取った前記ＥＴＣカード読取情報を暗号化して出力する店舗端末と、前記ＥＴＣカード読取情報を入力して復号するセキュアアプリケーションモジュールを有し、当該復号した結果に基づいて前記ＥＴＣカード読取情報を特定するためのカード特定情報を算出して、ＥＴＣカード読取情報の出力元の前記路側機または前記店舗端末に当該カード特定情報を出力する復号装置と、前記路側機から入力したカード特定情報と、前記店舗端末から入力したカード特定情報とが一致する場合に、所定のサービス処理を行うサービス処理装置と、を備えることを特徴とする決済システムである。
【０００７】
また本発明は、上述の決済システムにおいて、前記サービス処理装置は、前記路側機から入力したカード特定情報と、前記店舗端末から入力したカード特定情報とが一致する場合に、当該カード特定情報に対応付けて割引をすることを示す割引フラグを記憶部に記憶し、前記路側機から入力した決済処理要求に基づいて当該路側機の備わる駐車場の利用料金の決済時に割引処理を行うことを特徴とする。
【０００８】
また本発明は、上述の決済システムにおいて、前記復号装置は、前記路側機および前記店舗端末と通信ネットワークを介して接続されることを特徴とする。
【０００９】
また本発明は、上述の決済システムにおいて、２つの前記復号装置を有し、一方の前記復号装置が前記路側機に備えられ、他方の復号装置が前記店舗端末と通信ネットワークを介して接続されることを特徴とする。
【００１０】
また本発明は、上述の決済システムにおいて、２つの前記復号装置を有し、一方の復号装置が前記路側機と通信ネットワークを介して接続され、他方の復号装置が前記店舗端末と通信ネットワークを介して接続されることを特徴とする。
【００１１】
また本発明は、決済システムの処理方法であって、前記決済システムの路側機が、暗号化されたＥＴＣ（Electronic Toll Collection）カード読取情報を車載器から無線信号により受信して、当該ＥＴＣカード読取情報を出力し、前記決済システムの店舗端末が、挿入されたＥＴＣカードより読み取った前記ＥＴＣカード読取情報を出力し、前記決済システムの復号装置が、前記ＥＴＣカード読取情報を入力して復号するセキュアアプリケーションモジュールを有し、当該復号した結果に基づいて前記ＥＴＣカード読取情報を特定するためのカード特定情報を算出して、ＥＴＣカード読取情報の出力元の前記路側機または前記店舗端末に当該カード特定情報を出力し、前記決済システムの決済装置が、前記路側機および前記店舗端末のそれぞれより前記カード特定情報又は当該カード特定情報に紐付けられて前記路側機または前記店舗端末で記憶する決済用情報に基づいて、決済処理を行うことを特徴とする処理方法である。
【発明の効果】
【００１２】
本発明によれば、復号化用のＳＡＭを、通信ネットワークを介して接続された外部装置（復号装置）に設けると共に、当該外部装置が路側機や店舗端末と接続されるように構成した。このように路側機と店舗端末のそれぞれが通信ネットワークを介して外部装置と接続することで、店舗端末を所有する当該店舗の業者に対して、ＥＴＣカード読取情報を用いた決済のサービスを提供することが可能となる。
【図面の簡単な説明】
【００１３】
【図１】決済システムの構成を示すブロック図である。
【図２】決済システム内の車載器と路側機の機能を示すブロック図である。
【図３】決済システム内の店舗端末の機能を示すブロック図である。
【図４】決済システム内の外部装置と決済用計算装置の機能を示すブロック図である。
【図５】決済システムの処理フローを示す第１の図である。
【図６】決済システムの処理フローを示す第２の図である。
【図７】決済システムの処理フローを示す第３の図である。
【発明を実施するための形態】
【００１４】
以下、本発明の一実施形態による決済システムを図面を参照して説明する。
図１は同実施形態による決済システムの構成を示すブロック図である。
この図において、符号１は車載器である。当該車載器１は自家用車などの車両に搭載されており、ＥＴＣカードが挿入口に挿入できるような構成となっている。車載器１は、挿入口に挿入されたＥＴＣカードから情報を読み取り、当該読み取った情報（以下、ＥＴＣカード読取情報と呼ぶ）を暗号化して無線信号により車外の路側機に送信し、またその応答として、当該路側機から課金処理結果等の情報を無線信号により受信する。
また、符号２は路側機である。当該路側機２は道路脇や駐車場等の入口や出口に設置され、車載器１と無線信号により通信を行うと共に、車載器１から受信した暗号化されたＥＴＣカード読取情報を、通信ネットワークを介して他の装置へ転送する。また路側機２は、決済額などの情報を一時的に記憶する装置である。
【００１５】
また外部装置３（復号装置）は、路側機２や店舗端末から通信ネットワークを介して受信したＥＴＣカード読取情報を復号するＳＡＭ（セキュアアプリケーションモジュール）を有し、当該復号した結果に基づいてＥＴＣカード読取情報を特定するためのカード特定情報を算出して路側機２や店舗端末へ送信する装置である。
また決済用計算装置４(サービス処理装置)は、路側機２や店舗端末から通信ネットワークを介して受信した情報を用いて決済額の算出や、各種サービス処理を行う装置である。決済額としては、例えば駐車場の利用料金や、道路の通行料金などである。
また店舗端末５は、店舗などに設置された決済用の端末であり、ＥＴＣカードの挿入口が設けられており、当該ＥＴＣカードに記録されている情報を取得する。当該店舗端末５に挿入されるＥＴＣカードは、車両に設けられた車載器１から来店者が抜いて持参したものであり、店舗における決済用のカードとして利用される。
【００１６】
図２は同実施形態による決済システム内の車載器と路側機の機能を示すブロック図である。
この図で示すように、車載器１は、挿入口に挿入されたＥＴＣカード１０内のメモリに記録されているＥＴＣカード情報を読み取る読取部１１と、ＥＴＣカード読取情報を暗号化するＳＡＭ（Secure Application Module）１２と、車載器１の各処理部を制御する制御部１３と、暗号化されたＥＴＣカード読取情報を無線信号により送信する無線通信部１４とを備えている。なお、読取部１１によるＥＴＣカード１０のメモリに記録されている情報の読み取りは、ＳＡＭ１２によって制御される。このとき当該ＳＡＭ１２は所定の規則によってＥＴＣカード１０に記録されている情報を読み取る制御を読取部１１に対して行う。つまりＳＡＭ１２による所定の規則に基づく処理でなければＥＴＣカード１０に記録されている情報が読み取れない構成となっている。
【００１７】
また路側機２は、車載器１と無線信号により情報を送受信する無線通信部２１と、各処理部を制御する制御部２２と、決済額を管理する決済額管理部２３と、課金処理要求の送信を行う課金処理要求部２４と、外部装置３や決済用計算装置４と有線の通信ネットワークを介して情報を送受信する有線通信部２５と、処理に利用する各種情報を記憶する記憶部２６と、を備えている。
【００１８】
図３は同実施形態による決済システム内の店舗端末の機能を示すブロック図である。
この図が示すように、店舗端末５は、挿入口に挿入されたＥＴＣカード１０内のメモリに記録されているＥＴＣカード情報（ＥＴＣカード読取情報）を読み取る読取部５１と、ＥＴＣカード読取情報を暗号化するＳＡＭ５７と、決済アプリケーションなどのアプリケーション処理を行うアプリケーション部５２と、店舗端末５内の各処理部を制御する制御部５３と、外部装置３や決済用計算装置と通信処理を行う通信処理部５４と、キーボードやテンキー、バーコード読取装置、店舗端末５に備えられたタッチパネルセンサ等の入力装置からの情報を入力する入力部５５と、モニタなどの表示部５６と、各種情報を記憶する記憶部５８と、を備えている。なお、読取部５１によるＥＴＣカード１０のメモリに記録されている情報の読み取りは、ＳＡＭ５７によって制御される。このとき当該ＳＡＭ５７は所定の規則によってＥＴＣカード１０に記録されている情報を読み取る制御を読取部５１に対して行う。つまりＳＡＭ５７による所定の規則に基づく処理でなければＥＴＣカード１０に記録されている情報が読み取れない構成となっている。
【００１９】
図４は同実施形態による決済システム内の外部装置と決済用計算装置の機能を示すブロック図である。
この図が示すように、外部装置３は、路側機２や店舗端末５と通信する通信処理部３１、外部装置３内の各処理部を制御する制御部３２、路側機２や店舗端末５より受信した暗号化されたＥＴＣカード読取情報を復号するＳＡＭ３３、復号したＥＴＣカード読取情報を用いてカード特定情報を算出するカード特定情報算出部３４、カード会社サーバと通信して課金処理を行う課金処理部３５と、処理に利用する各種情報を記憶する記憶部３６と、を備えている。
また決済用計算装置４は、路側機２と通信する通信処理部４１、および決済処理を行う決済処理部４２、各種情報を記憶する記憶部４３を備えている。
【００２０】
ここで、本実施形態による決済システムは、図１〜図４で示すように路側機２に備わっていた復号化用のＳＡＭを、通信ネットワークを介して接続された外部装置３に設けると共に、当該外部装置３が路側機２や店舗端末５と接続されるように構成した。このように路側機２と店舗端末５のそれぞれが通信ネットワークを介して外部装置３と接続することで、店舗端末５を所有する当該店舗の業者に対して、ＥＴＣカード読取情報を用いた決済のサービスを提供することが可能となる。
また、復号化用のＳＡＭ３３を備えた外部装置３を１箇所で管理することにより、高価で厳重なセキュリティ管理が必要であることにより特定の事業者以外が利用できなかった、ＥＴＣカード読取情報の復号化処理を行うことのできるＳＡＭ３３を備えた外部装置３の使用を、一般の多くの事業者に提供することができる。
【００２１】
図５は決済システムの処理フローを示す第１の図である。
図６は決済システムの処理フローを示す第２の図である。
図７は決済システムの処理フローを示す第３の図である。
次に、決済システムの処理フローについて説明する。
以下の例では、路側機２が店舗の駐車場の入口や出口に備えられており、店舗端末５が店舗内の会計場所等に設置されている。また車載器１が車内に設置されている車両を、来店者が駐車場に駐車し、当該来店者が店舗内で会計を行った場合にサービス処理を行う場合の例を用いて説明する。
【００２２】
まず車載器１にＥＴＣカードが挿入されている。車載器１の搭載された車両が移動し、路側機２の備えられた店舗の駐車場に接近する。そして、車両が路側機２との通信可能エリアに進入すると、路側機２は車載器１とＤＳＲＣ（Dedicated Short Range Communication）通信を行うとともに、路側機２の制御部１３と車載器１制御部２２の間において認証処理が行われる（ステップＳ１０１）。
【００２３】
そして、認証処理が完了すると、車載器１のＳＡＭ１２が読取部１１を介してＥＴＣカード１０のメモリから情報（ＥＴＣカード読取情報）を取得する（ステップＳ１０２）。ＳＡＭ１２はそのＥＴＣカード読取情報を暗号化し（ステップＳ１０３）、当該暗号化したＥＴＣカード読取情報を制御部１３へ出力する。制御部１３は、メモリ等に記録されている車両情報（ナンバープレート情報や車種等）や車載器情報を読み取って、当該車両情報や車載器情報と、暗号化されたＥＴＣカード読取情報とを無線通信部１４へ出力する。そして無線通信部１４は、ＤＳＲＣ通信により、車両情報や車載器情報と、暗号化されたＥＴＣカード読取情報を路側機２へ送信する（ステップＳ１０４）。
【００２４】
次に路側機２の無線通信部２１が、車載器１から送信された車両情報や車載器情報と、暗号化されたＥＴＣカード読取情報とを受信する。そして制御部２２がそれらの情報を入力する。すると制御部２２は暗号化されたＥＴＣカード読取情報を有線通信部２５へ出力し、当該有線通信部２５が、当該ＥＴＣカード読取情報を外部装置３へ転送する（ステップＳ１０５）。他方、制御部２２は、受信した車両情報や車載器情報を一時的にメモリに記録する。
【００２５】
次に外部装置３の通信処理部３１が、路側機２から送信された、暗号化されたＥＴＣカード読取情報を受信して、制御部３２が当該暗号化されたＥＴＣカード読取情報を取得する。そして制御部３２は暗号化されたＥＴＣカード読取情報をＳＡＭ３３へ出力する。ＳＡＭ３３は暗号化されたＥＴＣカード読取情報を復号してカード特定情報算出部３４へ出力する（ステップＳ１０６）。カード特定情報算出部３４はＥＴＣカード読取情報に基づいて、当該ＥＴＣカード読取情報を特定できるカード特定情報を算出する（ステップＳ１０７）。例えば所定の関数ｆ（ｘ，α）に、ＥＴＣカード読取情報に含まれるＥＴＣカード番号（ｘ）と、固定値のパラメータ（α）を代入して、その結果をカード特定情報と算出する。カード特定情報算出部３４は、ＥＴＣカード読取情報とカード特定情報を対応付けて記憶部３６に記録する。
【００２６】
そして、カード特定情報算出部３４は、算出したカード特定情報を制御部３２へ出力し、制御部３２が通信処理部３１を介してＥＴＣカード読取情報の送信元の路側機２へ、カード特定情報を送信するよう制御する。そして通信処理部３１が、カード特定情報を送信すると（ステップＳ１０８）、ＥＴＣカード読取情報の送信元の路側機２の有線通信部２５が当該カード特定情報を受信する。そして制御部２２はそのカード特定情報を取得し、一時的にメモリに格納した車両情報や車載器情報と対応付けて記憶部２６に記録し、取得したカード特定情報を含む決済額管理要求を決済額管理部２３に対して出力する。
【００２７】
路側機２の決済額管理部２３は、決済額管理要求を入力すると、その情報からカード特定情報を読み取って、当該カード特定情報に対応付けられて記憶部２６に記録されている車両情報や車載器情報を読み取る。そして決済額管理部２３は、読み取った車両情報や車載器情報を決済用計算装置４へ送信するよう制御部２２へ要求する。すると、制御部２２は、決済額管理部２３から入力した車両情報や車載器情報を含む決済処理要求を、有線通信部２５を介して決済用計算装置４へ送信する制御を行う（ステップＳ１０９）。またこのとき、決済額管理部２３は制御部２２に対し、カード特定情報を含んだ決済処理要求を送信するように要求し、制御部２２が、カード特定情報と車両情報や車載器情報との組合せを含む決済処理要求を、有線通信部２５を介して決済用計算装置４へ送信する制御を行うようにしてもよい。
【００２８】
そして、決済用計算装置４は、車両情報や車載器情報を含む決済処理要求、またはカード特定情報と車両情報や車載器情報との組合せを含む決済処理要求を、通信処理部４１にて受信する。ここで、決済用計算装置４は駐車場の利用料金を算出する場合には、１台の車両について入口に設置されている路側機２と、出口に設置されている路側機２のそれぞれより、２回の決済処理要求を受信する。従って、決済処理部４２は、今回受信した決済処理要求が、１回目の決済処理要求か２回目の決済処理要求かを判定する（ステップＳ１１０）。具体的には、決済処理部４２は、過去に受信した決済処理要求に含まれる情報を、その決済処理要求の受信時刻にハードディスクやメモリ等の記憶部４３に記憶している。そして、決済処理部４２は、今回受信した決済処理要求から車載器情報やカード特定情報を読み取って、過去に受信した決済処理要求に含まれている車載器情報やカード特定情報と一致するかを、自装置の記憶部４３に記憶されている情報と比較して判定する。
【００２９】
そして、決済処理部４２は、自装置の記憶部４３に記憶されている情報の中に、今回受信した決済処理要求に含まれる車載器情報やカード特定情報と一致する情報が存在しない場合には、今回受信した決済処理要求を１回目の決済処理要求と判定する。そして、決済処理部４２は、１回目の決済処理要求に含まれる情報を、その受信時刻に対応付けて記憶部４３の駐車場テーブルに記録する。なおこの時、決済処理部４２は、路側機２から当該路側機２の設置されている駐車場を示す駐車場番号等を受信し、当該駐車場番号を、決済処理要求に含まれていた情報に対応付けて記憶部４３に記録するようにしてもよい。そして、決済処理部４２は、１回目の決済処理要求に対応して、処理完了を路側機２に通知する（ステップＳ１１１）。路側機２は処理完了を車載器１転送して、入口における車載器１と路側機２の通信が完了する。
【００３０】
なお決済用計算装置４が決済処理を行うにあたりカード特定情報を用いる場合には、路側機２はカード特定情報を含む決済処理要求を、決済用計算装置４へ送信する。決済用計算装置４が決済処理を行うにあたりカード特定情報を用いない場合には、路側機２はカード特定情報を含まない決済処理要求を、決済用計算装置４へ送信する。
【００３１】
ここで店舗は会計時の決済にＥＴＣカードを利用できる店舗である。つまり、車両を店舗の駐車場に駐車させた来店者（ＥＴＣカードのユーザ）は、当該店舗の会計時にＥＴＣカードを利用することができる。来店者は会計時にＥＴＣカードを利用した決済を行いたい場合、車載器１に差し込まれているＥＴＣカードを抜き、店内に持参する。そして、会計時に会計場所の店員にＥＴＣカードを渡して会計を依頼する。すると店員はＥＴＣカードを店舗端末５の挿入口に挿入し、店舗端末５に会計処理時の一連の操作を入力する。当該操作時において店舗端末５の入力部５５は、バーコード読取装置から商品情報を入力して、当該商品情報に基づいてＰＯＳサーバから価格情報を取得し制御部５３へ出力する。また制御部５３は、取得した商品情報や価格情報をアプリケーション部５２へ出力する。そしてアプリケーション部５２は、制御部５３を介して、表示部５６に商品情報や価格情報を表示する。また店員の操作に基づいてＳＡＭ５７が読取部５１を介してＥＴＣカード１０のメモリから情報（ＥＴＣカード読取情報）を取得する。するとＳＡＭ５７はＥＴＣカード読取情報を暗号化して、当該暗号化したＥＴＣカード読取情報を制御部５３へ出力する。そして、制御部５３は暗号化されたＥＴＣカード読取情報を、通信処理部５４を介して外部装置３へ送信する（ステップＳ１１２）。
【００３２】
次に外部装置３の通信処理部３１が、店舗端末５から送信された、暗号化されたＥＴＣカード読取情報を受信して、制御部３２が当該暗号化されたＥＴＣカード読取情報を取得する。そして制御部３２は暗号化されたＥＴＣカード読取情報をＳＡＭ３３へ出力する。ＳＡＭ３３は暗号化されたＥＴＣカード読取情報を復号してカード特定情報算出部３４へ出力する（ステップＳ１１３）。カード特定情報算出部３４はＥＴＣカード読取情報に基づいて、当該ＥＴＣカード読取情報を特定できるカード特定情報を算出する（ステップＳ１１４）。例えば所定の関数ｆ（ｘ，α）に、ＥＴＣカード読取情報に含まれるＥＴＣカード番号（ｘ）と、固定値のパラメータ（α）を代入して、その結果をカード特定情報と算出する。カード特定情報算出部３４は、ＥＴＣカード読取情報とカード特定情報を対応付けて記憶部３６に記録する。
【００３３】
そして、カード特定情報算出部３４は、復号化したＥＴＣカード読取情報と、算出したカード特定情報を制御部３２へ出力し、制御部３２が通信処理部３１を介してＥＴＣカード読取情報の送信元の店舗端末５へ、ＥＴＣカード読取情報とカード特定情報を送信するよう制御する。そして通信処理部３１が、ＥＴＣカード読取情報とカード特定情報を送信すると（ステップＳ１１５）、ＥＴＣカード読取情報の送信元の店舗端末５の通信処理部５４が当該ＥＴＣカード読取情報とカード特定情報を受信する。そして制御部５３はそのＥＴＣカード読取情報とカード特定情報を取得し、当該ＥＴＣカード読取情報とカード特定情報と来店者が購入する商品情報やその価格情報を対応付けて記憶部５８に記録する。また制御部５３は、取得したＥＴＣカード読取情報とカード特定情報と、商品情報と、価格情報と、を含むサービス処理要求を、通信処理部５４を介して決済用計算装置４へ送信する（ステップＳ１１６）。
【００３４】
次に決済用計算装置４の通信処理部４１がサービス処理要求を受信し、決済処理部４２に当該サービス処理要求のデータを転送する。すると決済処理部４２はサービス処理要求に含まれる商品情報、価格情報、ＥＴＣカード読取情報、カード特定情報を取得し、サービス処理の１つである商品決済処理を開始する（ステップＳ１１７）。ここで、サービス処理要求にＥＴＣカード読取情報が含まれる場合、決済処理部４２は当該ＥＴＣカード読取情報からＥＴＣカード番号を判定し、カード会社への与信の問い合わせを行う商品決済処理や、商品情報に基づいて在庫消し込み等を含む商品決済処理を行う。また決済処理部４２は、サービス処理の１つである駐車料金割引サービス処理を行う。たとえば決済処理部４２は、サービス処理要求から取得したカード特定情報が記憶部４３内の駐車情報テーブルに記録されているかを判定する（ステップＳ１１８）。事前に、路側機２より１回目の決済処理要求を受信している場合には、当該決済処理要求に含まれるカード特定情報が記憶部４３に記録されている。従って、決済処理部４２は、サービス処理要求より取得したカード特定情報が、駐車場テーブルに記録されている場合、当該カード特定情報に対応付けて記録される割引フラグをＯＦＦからＯＮに更新する（ステップＳ１１９）。ここで割引フラグがＯＮの場合には、駐車料金が割引される。
【００３５】
そして、店舗でのショッピング等が終了した来店者は、駐車場に戻り、車両に搭載されている車載器１へ再びＥＴＣカードを挿入する。そして、車両を運転して駐車場の出口から車両を出庫させる。このとき車載器１は、出口に設置されている路側機２とＤＳＲＣ通信を行う。このとき、車両が駐車場の入口に進入した際の処理と同様の処理が行われる。そして、このとき決済用計算装置４の決済処理部４２は、自装置の記憶部４３に記憶されている情報の中に、今回受信した決済処理要求に含まれる車載器情報やカード特定情報と一致する情報が存在する場合には、今回受信した決済処理要求を２回目の決済処理要求と判定する。この場合、決済処理部４２は、１回目の決済処理要求に対応付けられて記憶部に記録されている当該決済処理要求の受信時刻と割引フラグとを、カード特定情報や車載器情報に基づいて記憶部から読み取る。そして、決済処理部４２は、１回目の決済処理要求の受信時刻と、今回受信した２回目の決済処理要求の受信時刻との差を、駐車時間と算出する（ステップＳ１２０）。なお、決済処理部４２は、受信した決済処理要求に含まれる車種情報に応じた決済額を算出するようにしてもよい。
【００３６】
ここで、決済処理部４２は、例えば３０分経過する度に増加する駐車料金を、３０分間隔の駐車時間に対応付けて記憶部に記憶している。そして、決済処理部４２は、「算出した駐車時間÷３０」の小数点以下を省略した整数に対応付けられた駐車料金を記憶部から読み取り、その駐車料金を決済額と特定する（ステップＳ１２１）。または、他の算出方法としては、決済処理部４２は、「算出した駐車時間÷３０」の小数点以下を省略した整数に３０分毎に加算される駐車料金を乗じて得た値を決済額と算出するようにしてもよい。また決済処理部４２は、割引フラグがＯＮであるかを判定する。そして、割引フラグがＯＮである場合には駐車料金を割引処理する。例えば、所定の額を駐車料金の決済額から減じる。そして、決済処理部４２は、算出した決済額を含む決済額算出結果を、決済額算出要求の送信元の路側機２へ通信処理部４１を介して送信する（ステップＳ１２２）。
【００３７】
次に、路側機２において決済額算出結果を受信すると、制御部２２が、決済額算出要求に応じて受信した当該決済額算出結果に含まれる決済額を読み取り、決済額管理部２３へ出力する。すると決済額管理部２３は、決済額算出要求で送信した車載器情報や、カード特定情報に対応付けて、記憶部２６に決済額を書き込む。すると、課金処理要求部２４は、記憶部２６に書き込まれた決済額と、その決済額に対応付けて記録されているカード特定情報を含む課金処理要求を生成し、当該課金処理要求を外部装置３に通知するよう制御部２２に指示する。すると制御部２２は、課金処理要求を有線通信部２５を介して外部装置３へ送信する（ステップＳ１２３）。
【００３８】
外部装置３は通信処理部３１において課金処理要求を受信する。すると制御部３２は当該課金処理要求の情報を課金処理部３５に出力する。また課金処理部３５は、課金処理要求から決済額とカード特定情報を読み取る。そして、課金処理部３５は、読み取ったカード特定情報に対応付けられて記憶部３６に記録されているＥＴＣカード読取情報を取得し、当該ＥＴＣカード読取情報と、課金処理要求から取得した決済額とを含む課金処理要求を生成する。そして、課金処理部３５は、新たに生成した課金処理要求をカード会社サーバへ送信するよう、制御部３２に指示する。そして、制御部３２は課金処理要求をカード会社サーバへ送信する（ステップＳ１２４）。
【００３９】
ここで、カード会社サーバにおいては、課金処理要求を受信し、当該課金処理要求に含まれるＥＴＣカード読取情報と決済額とを取得して、課金処理を行う。より具体的には、ＥＴＣカード読取情報からＥＴＣカード番号を得て、そのＥＴＣカード番号に対する決済額の課金の処理を行う。そして、課金処理完了通知を外部装置３へ送信する。外部装置３は、課金処理完了通知を受信すると（ステップＳ１２５）、制御部３２はその課金処理完了通知を通信処理部３１を介して路側機２へ送信する（ステップＳ１２６）。そして、路側機２の制御部２２は、無線通信部２１を介して車載器１に課金処理完了を送信する（ステップＳ１２７）。これにより、出口における路側機２と車載器１の通信が完了する。
【００４０】
以上、本発明の実施形態について説明したが、上述の決済システムによれば、路側機２に備わっていた復号化用のＳＡＭを、通信ネットワークを介して接続された外部装置３に設けると共に、当該外部装置３が路側機２や店舗端末５と接続されるように構成した。このように路側機２と店舗端末５のそれぞれが通信ネットワークを介して外部装置３と接続することで、店舗端末５を所有する当該店舗の業者に対して、ＥＴＣカード読取情報を用いた決済のサービスを提供することが可能となる。
また、復号化用のＳＡＭ３３を備えた外部装置３を１箇所で管理することにより、高価で厳重なセキュリティ管理が必要であることにより特定の事業者以外が利用できなかった、ＥＴＣカード読取情報の復号化処理を行うことのできるＳＡＭ３３を備えた外部装置３の使用を、一般の多くの事業者に提供することができる。
【００４１】
なお、上述の処理においては、店舗端末５からのサービス処理要求に基づいて、決済用計算装置４が駐車料金割引のためのサービス処理を行う場合の例について説明した。しかしながら駐車料金割引のサービス処理の代わりに、クーポン発行のサービス処理を行うようにしてもよい。この場合、決済用計算装置４は、店舗端末５から受信したサービス処理要求に基づいて記憶部４３に１回目の決済処理要求の情報が記録されているかを判定し、１回目の決済処理要求の情報が記録されている場合には、商品決済処理の終了後、店舗端末５にクーポン出力要求を送信する。すると店舗端末５のアプリケーション部５２は、レシート印字処理時にクーポン情報を共に印字処理する。これにより、レシートに印字されたクーポンに基づいて、例えば、来店者に対して、次回来店時にクーポンに基づく割引のサービスを行うことができる。
【００４２】
またこの他、立体駐車場サービスに利用することもできる。例えば、決済用計算装置４は、店舗端末５から受信したサービス処理要求に基づいて記憶部４３に１回目の決済処理要求の情報が記録されているかを判定する。そして決済用計算装置４の決済処理部４２は、１回目の決済処理要求の情報が記録されている場合には、１回目の決済処理要求時にカード特定情報や車載器情報などに対応付けて登録された立体駐車位置番号を記憶部４３から取得する。そして決済処理部４２は決済処理の終了後、取得した立体駐車位置番号を店舗端末５に送信する。すると店舗端末５のアプリケーション部５２は、レシート印字処理時に立体駐車位置番号を共に印字処理する。これにより、レシートに印字された立体駐車位置番号を来店者は容易に把握することができるようになる。つまり、来店者に対して、立体駐車位置番号を覚えておかなくてよいといったサービスを提供することが可能となる。
【００４３】
また、荷物預かりサービスに利用することもできる。当該荷物預かりサービスは、来店者に販売した商品を一旦来店者から預かって、店舗から離れている駐車場まで配達するサービスである。この場合、例えば決済用計算装置４は、店舗端末５から受信したサービス処理要求に基づいて記憶部４３に１回目の決済処理要求の情報が記録されているかを判定する。そして決済用計算装置４の決済処理部４２は、１回目の決済処理要求の情報が記録されている場合には、１回目の決済処理要求時にカード特定情報や車載器情報などに対応付けて登録された駐車場番号を記憶部４３から取得する。そして決済処理部４２は販売商品の決済処理の終了後、取得した駐車場番号を店舗端末５に送信する。すると店舗端末５のアプリケーション部５２は、駐車場番号を表示部５６に表示する。そして店舗の担当者が当該表示部５６に表示された駐車場番号をメモし、来店者に販売した商品を、駐車場番号で特定される駐車場まで配達する。このようなサービスによって、来店者は購入した商品を持ち歩きながら他の商品を購入するために店舗内を歩き回る必要がなくなり、サービスを向上させることができる。
【００４４】
以上、本発明の実施形態について説明したが、上述の決済システムの構成によれば、ＥＴＣカード読取情報を復号処理するＳＡＭの機能を備えた外部装置に店舗端末を通信接続させた。これにより、ＥＴＣカード読取情報を復号処理するＳＡＭを備えない安価な店舗端末を所有する業者に対して、ＥＴＣカード読取情報を用いた決済のサービスのできる環境を提供することが可能となる。
また、決済用計算装置において、駐車場等に備えた路側機２から受信した決済処理要求に含まれるカード特定情報と、店舗端末５から受信したサービス処理要求に含まれるカード特定情報が一致する場合には、所定のサービス処理を行う。このような仕組みにより、ＥＴＣカードのユーザに対する様々なサービスを提供することが可能となる。
【００４５】
なお、図１で示した決済システムの構成によれば、１つの外部装置３が路側機２と店舗端末５のそれぞれに接続されている。しかしながら、外部装置３と同様の機能を路側機２内部に備え、別途決済システムに外部装置３を備えて、当該外部装置３と店舗端末５とが通信ネットワークを介して接続された構成としてもよい。
【００４６】
または決済システムが２つの外部装置３を備え、一方の外部装置３が路側機２と通信ネットワークを介して接続され、他方の外部装置３が店舗端末５と通信ネットワークを介して接続された構成としてもよい。
【００４７】
なお、上述の決済システムにおける各装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４８】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４９】
１・・・車載器
２・・・路側機
３・・・外部装置
４・・・決済用計算装置
５・・・店舗端末
１１・・・読取部
１２・・・ＳＡＭ
１３・・・制御部
１４・・・無線通信部
２１・・・無線通信部
２２・・・制御部
２３・・・決済額管理部
２５・・・有線通信部
２６・・・記憶部
３１・・・通信処理部
３２・・・制御部
３３・・・ＳＡＭ
３４・・・カード特定情報算出部
３５・・・課金処理部
３６・・・記憶部
４１・・・通信処理部
４２・・・決済処理部
４３・・・記憶部
５１・・・読取部
５２・・・アプリケーション部
５３・・・制御部
５４・・・通信処理部
５５・・・入力部
５６・・・表示部
５７・・・ＳＡＭ
５８・・・記憶部
【図１】
0005762234.tif 000002
【図２】
0005762234.tif 000003
【図３】
0005762234.tif 000004
【図４】
0005762234.tif 000005
【図５】
0005762234.tif 000006
【図６】
0005762234.tif 000007
【図７】
0005762234.tif 000008